【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
無線機能付き時計であって、
ハウジングと、
前記ハウジング内に収容され、外部からの電波を受信するためのアンテナと、
前記ハウジング内に配置された導電性の環状部材と、
前記環状部材に形成され、環状部材を周方向に分断する少なくとも１つのスリットと、
を備えることを特徴とする無線機能付き時計。
【請求項２】
前記スリットが、アンテナの上方近傍に配置されていることを特徴とする請求項１に記載の無線機能付き時計。
【請求項３】
前記スリットが、アンテナの少なくとも一方の開放端部に対向して、アンテナの上方近傍に配置されたスリットから構成されていることを特徴とする請求項１に記載の無線機能付き時計。
【請求項４】
前記環状部材のスリット内に配置された絶縁部材を備えることを特徴とする請求項１から３のいずれかに記載の無線機能付き時計。
【請求項５】
前記絶縁部材が、時計の機能表示を示す指標であることを特徴とする請求項４に記載の無線機能付き時計。
【請求項６】
前記絶縁部材が、装飾部材を備えることを特徴とする請求項４から５のいずれかに記載の無線機能付き時計。
【請求項７】
前記ハウジングの少なくとも一部を構成する時計ケースを備え、
前記時計ケースの少なくとも一部が導電性であり、
前記環状部材と時計ケースとの間に、絶縁領域を備えることを特徴とする請求項１から６のいずれかに記載の無線機能付き時計。
【請求項８】
前記絶縁領域が、アンテナの上方近傍に配置されていることを特徴とする請求項７に記載の無線機能付き時計。
【請求項９】
前記絶縁領域が、アンテナの少なくとも一方の開放端部に対向して、アンテナの上方近傍に配置された絶縁領域から構成されていることを特徴とする請求項７に記載の無線機能付き時計。
【請求項１０】
前記絶縁領域が、環状部材と時計ケースとの間に配置された絶縁部材から構成されていることを特徴とする請求項７から９のいずれかに記載の無線機能付き時計。
【請求項１１】
前記絶縁領域が、環状部材と時計ケースとの間の境界面の少なくともいずれか一方に形成された絶縁被膜から構成されていることを特徴とする請求項７から１０のいずれかに記載の無線機能付き時計。
【請求項１２】
前記ハウジングの少なくとも一部を構成する時計ケースを備え、
前記時計ケースの少なくとも一部が導電性であり、
前記時計ケースには、少なくとも一部が導電性のベゼルが備えられ、
前記ベゼルと時計ケースとの間に、絶縁領域を備えることを特徴とする請求項１から１１のいずれかに記載の無線機能付き時計。
【請求項１３】
前記ハウジングの少なくとも一部を構成する時計ケースを備え、
前記時計ケースには、少なくとも一部が導電性のベゼルが備えられ、
前記ベゼルと環状部材との間に、絶縁領域を備えることを特徴とする請求項１から１２のいずれかに記載の無線機能付き時計。
【請求項１４】
前記絶縁領域が、アンテナの上方近傍に配置されていることを特徴とする請求項１３に記載の無線機能付き時計。
【請求項１５】
前記絶縁領域が、アンテナの少なくとも一方の開放端部に対向して、アンテナの上方近傍に配置された絶縁領域から構成されていることを特徴とする請求項１３に記載の無線機能付き時計。
【請求項１６】
前記絶縁領域が、ベゼルと環状部材との間に配置された絶縁部材から構成されていることを特徴とする請求項１３から１４のいずれかに記載の無線機能付き時計。
【請求項１７】
前記絶縁領域が、ベゼルと環状部材との間の境界面の少なくともいずれか一方に形成された絶縁被膜から構成されていることを特徴とする請求項１３から１６のいずれかに記載の無線機能付き時計。
【請求項１８】
前記導電性の環状部材が、見返しリングであることを特徴とする請求項１から１７のいずれかに記載の無線機能付き時計。
【手続補正２】
【補正対象書類名】明細書
【補正対象項目名】０００４
【補正方法】変更
【補正の内容】
【０００４】
しかしながら、これら無線機能付き時計は、時計であるがために、他の通信機器と異なり、装飾品、または装身具としての美観や高級感が求められる。
このため、電波を受信するアンテナを収納する筐体であるハウジングを、合成樹脂などの非導電性の素材ではなく、導電性の素材、すなわち、金属製の素材を採用することが求められる。
【手続補正３】
【補正対象書類名】明細書
【補正対象項目名】００３０
【補正方法】変更
【補正の内容】
【００３０】
逆に、非導電性の部材とは、「その部材の素材自体が非導電性の部材であるもの」、または、「その部材に非導電性の被膜が被覆されたもの」を言う。後者の場合、部材の素材自体は、非導電性の素材であっても、導電性の素材であっても、または、非導電性の素材と導電性の素材の組み合わせであってもよい。
【手続補正４】
【補正対象書類名】明細書
【補正対象項目名】００３１
【補正方法】変更
【補正の内容】
【００３１】
環状部材を構成する導電性の材料としては、例えば、金、銀、銅、黄銅、アルミニウム、マグネシウム、亜鉛、チタン、またはこれらの合金などを採用することができる。また、例えば、チタン合金、ステンレススチール、タンタルカーバイドなどが採用されてもよい。
【手続補正５】
【補正対象書類名】明細書
【補正対象項目名】００３６
【補正方法】変更
【補正の内容】
【００３６】
このように構成することによって、アンテナの少なくとも一方の開放端部に対向する部分には、スリットによって、電波の受信を妨げる導電性の環状部材が存在しないので、このスリットを介して、電波がアンテナの一方の開放端部に受信され、アンテナの受信感度が向上することになる。
【手続補正６】
【補正対象書類名】明細書
【補正対象項目名】００３９
【補正方法】変更
【補正の内容】
【００３９】
また、このようにスリット内に絶縁部材が配置されているので、環状部材の強度が維持されることにもなる。
絶縁部材は、非導電性の素材から成る部材であっても、導電性の素材に非導電性の被膜が被覆された部材であってもよい。非導電性の素材としては、例えば、合成樹脂、ゴム、またはセラミックなどを採用することができる。導電性の素材としては、上述した環状部材の素材を採用することができる。
【手続補正７】
【補正対象書類名】明細書
【補正対象項目名】００４０
【補正方法】変更
【補正の内容】
【００４０】
導電性材料の上に被覆される非導電性被膜、すなわち絶縁被膜としては、例えば、アクリル系材料、ウレタン系材料、またはセルロース系材料などの有機材料の絶縁被膜を採用することができる。また、この絶縁被膜として、例えば、クロム化合物を含むクロム化合物系被膜、または酸化アルミ化合物を含む酸化アルミ系被膜を採用することができる。
【手続補正８】
【補正対象書類名】明細書
【補正対象項目名】００４１
【補正方法】変更
【補正の内容】
【００４１】
クロム化合物系被膜としては、酸化クロム化合物を含む酸化クロム系被膜、窒化クロム化合物を含む窒化クロム系被膜、または、炭化クロム化合物を含む炭化クロム系被膜を採用することができる。
【手続補正９】
【補正対象書類名】明細書
【補正対象項目名】００４２
【補正方法】変更
【補正の内容】
【００４２】
また、絶縁被膜としては、ＤＬＣ（Diamond Like Carbon（ダイヤモンドの様なカーボン））などのように、後述する環状部材と時計ケースとの間、時計ケースとベゼルとの間、またはベゼルと環状部材との間に配置される絶縁領域として、絶縁被膜が採用されても良い。
【手続補正１０】
【補正対象書類名】明細書
【補正対象項目名】００４３
【補正方法】変更
【補正の内容】
【００４３】
また、絶縁被膜の代わりに、合成樹脂やゴムなどから成る絶縁シートが貼着されてもかまわない。
絶縁部材は、不用意に抜脱しないように環状部材に固定されることが好ましい。この固定手段としては、例えば、嵌合、圧入、接合、インサート成型など、機械的な係合手段を採用することができる。絶縁部材と環状部材とを接合する接合層としては、例えば、接着剤、粘着剤、または両面テープなどが用いられる。これら接合層は、非導電性の絶縁層であることが好ましい。
【手続補正１１】
【補正対象書類名】明細書
【補正対象項目名】００４７
【補正方法】変更
【補正の内容】
【００４７】
例えば、環状部材が明るい金色色調であり、絶縁部材が暗い金色色調であっても、環状部材と絶縁部材の視認面が金色の同色色調を呈すれば、絶縁部材が視認されにくくなり、環状部材の美観、時計自体の美観が向上する。
【手続補正１２】
【補正対象書類名】明細書
【補正対象項目名】００５０
【補正方法】変更
【補正の内容】
【００５０】
このように、特に、絶縁部材が、導電性素材より成る環状部材と同じような金属外観を呈すれば、絶縁部材が視認されにくくなるとともに、環状部材に高級感が与えられる。
導電性素材より成る環状部材と同じような金属外観を得るために、例えば、絶縁部材は、環状部材と同色色調のメタリック塗装による塗装被膜に被覆されてもよい。このメタリック塗装被膜として、例えば、メタリック顔料が混入された塗装被膜を採用することができる。
【手続補正１３】
【補正対象書類名】明細書
【補正対象項目名】００５５
【補正方法】変更
【補正の内容】
【００５５】
このような絶縁塗装被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などを採用することができる。
【手続補正１４】
【補正対象書類名】明細書
【補正対象項目名】００５６
【補正方法】変更
【補正の内容】
【００５６】
また、本発明の無線機能付き時計は、前記絶縁部材の視認面の色調が、環状部材の視認面の色調と異色色調であることを特徴とする。
このように、絶縁部材の視認面の色調を、環状部材の視認面の色調と異色色調となるように構成することによって、例えば、この絶縁部材の部分を、美観上または何らかの情報として、例えば、時計の携帯者などの観察者に視認し易くすることができる。
【手続補正１５】
【補正対象書類名】明細書
【補正対象項目名】００６１
【補正方法】変更
【補正の内容】
【００６１】
このように構成することによって、絶縁部材に保持された導電性の付加部材により、絶縁部材に金属外観が付与されることになるので、環状部材の美観と高級感が向上し、時計自体の美観も向上することになる。
【手続補正１６】
【補正対象書類名】明細書
【補正対象項目名】００６４
【補正方法】変更
【補正の内容】
【００６４】
また、本発明の無線機能付き時計は、前記付加部材の視認面の色調が、環状部材の視認面の色調と異色色調であることを特徴とする。
このように、付加部材の視認面の色調を、環状部材の視認面の色調と異色色調となるように構成することによって、例えば、この付加部材の部分を、美観上または何らかの情報として、例えば、時計の携帯者などの観察者に視認し易くすることができる。
【手続補正１７】
【補正対象書類名】明細書
【補正対象項目名】００６７
【補正方法】変更
【補正の内容】
【００６７】
このように構成することによって、環状部材と絶縁部材と付加部材とが一体的に視認されるので、環状部材の美観と高級感が向上し、時計自体の美観も向上することになる。
特に、後述するように、環状部材が見返しリングである場合、見返しリングの上面は風防を載置するために載置面として機能するので、見返しリングと絶縁部材と付加部材のそれぞれ上面が略同一平面を形成していれば、見返しリングに平滑な載置面が形成されるので、風防を確実に載置することができる。
【手続補正１８】
【補正対象書類名】明細書
【補正対象項目名】００６９
【補正方法】変更
【補正の内容】
【００６９】
また、本発明の無線機能付き時計は、前記付加部材が、環状部材と絶縁部材との境界の少なくとも一部を覆う覆い部を備えることを特徴とする。
このように構成することによって、環状部材と絶縁部材との境界が、付加部材の覆い部で隠されて視認されなくなるので、環状部材の美観と高級感がさらに向上する。
【手続補正１９】
【補正対象書類名】明細書
【補正対象項目名】００７２
【補正方法】変更
【補正の内容】
【００７２】
このように構成することによって、付加部材が絶縁部材に形成された凹部内に確実に固定することができる。
また、付加部材と絶縁部材の視認面とが略同一平面を形成するように、絶縁部材の凹部内に付加部材を配置することができ、環状部材と絶縁部材と付加部材とが一体的に視認されるので、環状部材の美観と高級感が向上し、時計自体の美観も向上することになる。
【手続補正２０】
【補正対象書類名】明細書
【補正対象項目名】００７４
【補正方法】変更
【補正の内容】
【００７４】
また、付加部材と絶縁部材の視認面とが略同一平面を形成するように、２つの絶縁部材の間に付加部材を配置することができ、環状部材と絶縁部材と付加部材とが一体的に視認されるので、環状部材の美観と高級感が向上し、時計自体の美観も向上することになる。
【手続補正２１】
【補正対象書類名】明細書
【補正対象項目名】００７９
【補正方法】変更
【補正の内容】
【００７９】
また、本発明の無線機能付き時計は、前記絶縁部材が、装飾部材を備えることを特徴とする。
このように構成することによって、絶縁部材に、例えば、宝石や貴石などの輝石からなる装飾部材を備えることによって、環状部材の美観と高級感が向上し、時計自体の美観も向上することになる。
【手続補正２２】
【補正対象書類名】明細書
【補正対象項目名】００８０
【補正方法】変更
【補正の内容】
【００８０】
また、本発明の無線機能付き時計は、
前記ハウジングの少なくとも一部を構成する時計ケースを備え、
前記時計ケースの少なくとも一部が導電性であり、
前記環状部材と時計ケースとの間に、絶縁領域を備えることを特徴とする。
【手続補正２３】
【補正対象書類名】明細書
【補正対象項目名】００９３
【補正方法】変更
【補正の内容】
【００９３】
このように構成することによって、アンテナの少なくとも一方の開放端部に対向する部分では、環状部材と時計ケースとの間に配置された絶縁領域によって、導電性の環状部材と時計ケースとの間で、誘導電流が発生しないので、電波がアンテナの一方の開放端部に受信され、アンテナの受信感度が向上することになる。
【手続補正２４】
【補正対象書類名】明細書
【補正対象項目名】０１００
【補正方法】変更
【補正の内容】
【０１００】
また、本発明の無線機能付き時計は、
前記ハウジングの少なくとも一部を構成する時計ケースを備え、
前記時計ケースの少なくとも一部が導電性であり、
前記時計ケースには、少なくとも一部が導電性のベゼルが備えられ、
前記ベゼルと時計ケースとの間に、絶縁領域を備えることを特徴とする。
【手続補正２５】
【補正対象書類名】明細書
【補正対象項目名】０１１１
【補正方法】変更
【補正の内容】
【０１１１】
このように構成することによって、アンテナの少なくとも一方の開放端部に対向する部分では、ベゼルと環状部材との間に配置された絶縁領域によって、導電性のベゼルと環状部材との間で、誘導電流が発生しないので、電波がアンテナの一方の開放端部に受信され、アンテナの受信感度が向上することになる。
【手続補正２６】
【補正対象書類名】明細書
【補正対象項目名】０１５２
【補正方法】変更
【補正の内容】
【０１５２】
しかしながら、絶縁領域５８は、図８に示したように、少なくとも、見返し受け部３２の段部３４の上面３４ａに沿って、形成してあれば良く、例えば、図９に示したように、見返しリング３６と時計ケース１４との間の全面、すなわち、見返し受け部３２の段部３４の上面３４ａと、側面３４ｂと、内周面３４ｃに沿って形成することもできる。
【手続補正２７】
【補正対象書類名】明細書
【補正対象項目名】０１７７
【補正方法】変更
【補正の内容】
【０１７７】
この場合も、ベゼル６２と見返しリング３６との間に形成される絶縁領域７２としては、前述した図１〜図３の実施例の見返しリング３６と時計ケース１４との間に形成される絶縁領域５８と同様な材料、方法で形成することができるものであって、
・絶縁領域７２を、ベゼル６２と見返しリング３６との間に配置された絶縁部材から構成する方法
・絶縁部材を、ベゼル６２の側に貼着する方法、
・絶縁部材を、見返しリング３６の側に貼着する方法、
・絶縁領域７２を、ベゼル６２と見返しリング３６との間の境界面の少なくともいずれか一方に形成された絶縁被膜から構成する方法、
・図９の実施例と同様に、図１２に示したように、見返しリング３６の絶縁被膜を、見返しリング３６の全面に形成する方法、
などを採用することができ、その詳細な説明は省略する。
【手続補正２８】
【補正対象書類名】明細書
【補正対象項目名】０１８６
【補正方法】変更
【補正の内容】
【０１８６】
従って、絶縁部材７４の視認面が、見返しリング３６とが一体的に視認されるので、環見返しリング３６の美観と高級感が向上し、時計自体の美観も向上することになる。
特に、見返しリング３６の上面３６ａは風防１８を載置するために載置面として機能するので、見返しリング３６と絶縁部材７４のそれぞれ上面３６ａ、７４ａが略同一平面を形成していれば、見返しリング３６に平滑な載置面が形成されるので、風防１８を確実に載置することができる。
【手続補正２９】
【補正対象書類名】明細書
【補正対象項目名】０１９６
【補正方法】変更
【補正の内容】
【０１９６】
また、絶縁部材７４の視認面の色調が、見返しリング３６の視認面の色調と異色色調とすることもできる。
このように、絶縁部材７４の視認面の色調を、見返しリング３６の視認面の色調と異色色調となるように構成することによって、例えば、この絶縁部材７４の部分を、美観上または何らかの情報として、例えば、時計の携帯者などの観察者に視認し易くすることができる。
【手続補正３０】
【補正対象書類名】明細書
【補正対象項目名】０１９７
【補正方法】変更
【補正の内容】
【０１９７】
この場合、『同色色調』とは、環状部材と絶縁部材との色調とが、共に同じ色調と認識され得る範囲内にあることを意味し、その色調の濃淡や明暗など、色調の外観上の風合いが完全に一致することに限定されない。
【手続補正３１】
【補正対象書類名】明細書
【補正対象項目名】０２０１
【補正方法】変更
【補正の内容】
【０２０１】
特に、見返しリング３６の視認面の色調と異色色調の絶縁部材７４を指標にした場合には、このような時計の機能表示を観察者により視認し易くすることができる。
この場合、絶縁部材７４の数、形成位置としては、図１〜図３の実施例の絶縁領域５８と同様に、
・図１５、図１６に示した実施例のように、絶縁部材７４を、アンテナ２６の上方近傍に配置する方法、
・図１７に示した実施例のように、絶縁部材７４を、アンテナ２６の開放両端部２６ａ、２６ｂに対向して、アンテナ２６の上方近傍に配置された２つの絶縁部材７４ａ、７４ｂから構成する方法、
・図１８に示した実施例のように、絶縁部材７４を、アンテナ２６の少なくとも一方の開放端部２６ａに対向して、アンテナ２６の上方近傍に配置された絶縁部材７４ａから構成する方法、
などを採用することができる。なお、図１５〜図１８では、時計ケース１４の形状が矩形枠状であり、これに対応して、見返しリング３６も矩形枠形状のものを実施例として示しているが、前述の実施例のように、時計ケース１４、見返しリング３６を円形状とすることももちろん可能である。
（実施例４）
図１４は、本発明の別の実施例の無線機能付き時計１０の図３と同様な部分拡大斜視図で、２つのスリット５６の間に導電性のパーツ部材７５を介装した状態を説明する部分拡大斜視図である。
【手続補正３２】
【補正対象書類名】明細書
【補正対象項目名】０２０６
【補正方法】変更
【補正の内容】
【０２０６】
この場合、導電性のパーツ部材７５の形状としては、２つのスリット５６、５６で分断されて、見返しリング３６から切り離されたような形状とするのが好ましい。すなわち、見返しリング３６に２つの絶縁部材７６、７６を介して、パーツ部材７５を組み合わせた際に、見返しリング３６と、２つの絶縁部材７６、７６と、パーツ部材７５が、一体の環状の見返しリング３６として視認されるため、環見返しリング３６の美観と高級感が向上し、時計自体の美観も向上することになるからである。
【手続補正３３】
【補正対象書類名】明細書
【補正対象項目名】０２０７
【補正方法】変更
【補正の内容】
【０２０７】
この場合、導電性のパーツ部材７５を構成する材料としては、特に限定されるものではなく、見返しリング３６と同様な材料などを用いることができる。
この場合、２つの絶縁部材７６、７６と、パーツ部材７５の視認面の色調が、見返しリング３６の視認面の色調と同色色調とすることができる。
【手続補正３４】
【補正対象書類名】明細書
【補正対象項目名】０２０９
【補正方法】変更
【補正の内容】
【０２０９】
また、２つの絶縁部材７６、７６と、パーツ部材７５の視認面の色調が、見返しリング３６の視認面の色調と異色色調とすることもできる。
このように、２つの絶縁部材７６、７６と、パーツ部材７５の視認面の色調が、見返しリング３６の視認面の色調と異色色調となるように構成することによって、例えば、この２つの絶縁部材７６、７６と、パーツ部材７５の部分を、美観上または何らかの情報として、例えば、時計の携帯者などの観察者に視認し易くすることができる。
【手続補正３５】
【補正対象書類名】明細書
【補正対象項目名】０２１６
【補正方法】変更
【補正の内容】
【０２１６】
なお、付加部材８０は、不用意に絶縁部材７８の凹部７８ｃから脱落しないように絶縁部材７８に固定されることが好ましい。この固定手段としては、例えば、嵌合、圧入、接合、インサート成型など、機械的な係合手段を採用することができる。絶縁部材７８と付加部材８０とを接合する接合層には、例えば、接着剤、粘着材、または両面テープなどが用いられる。
【手続補正３６】
【補正対象書類名】明細書
【補正対象項目名】０２１７
【補正方法】変更
【補正の内容】
【０２１７】
このように構成することによって、絶縁部材７８に保持された導電性の付加部材８０により、絶縁部材７８に金属外観が付与されることになるので、見返しリング３６の美観と高級感が向上し、時計自体の美観も向上することになる。
【手続補正３７】
【補正対象書類名】明細書
【補正対象項目名】０２２０
【補正方法】変更
【補正の内容】
【０２２０】
また、付加部材８０の視認面の色調が、見返しリング３６の視認面の色調と異色色調とすることもできる。
このように、付加部材８０の視認面の色調が、見返しリング３６の視認面の色調と異色色調となるように構成することによって、例えば、この付加部材８０の部分を、美観上または何らかの情報として、例えば、時計の携帯者などの観察者に視認し易くすることができる。
【手続補正３８】
【補正対象書類名】明細書
【補正対象項目名】０２２３
【補正方法】変更
【補正の内容】
【０２２３】
さらに、図２２、図２３に示したように、付加部材８０は、観る者に美感を起こさせる装飾部材８４であってもよい。
このように構成することによって、絶縁部材７８に、例えば、宝石や貴石などの輝石からなる装飾部材８４を備えることによって、環状部材の美観と高級感が向上し、時計自体の美観も向上することになる。
【手続補正３９】
【補正対象書類名】明細書
【補正対象項目名】０２２５
【補正方法】変更
【補正の内容】
【０２２５】
このように構成することによって、見返しリング３６と絶縁部材７８と付加部材８０とが一体的に視認されるので、環状部材の美観と高級感が向上し、時計自体の美観も向上することになる。
【手続補正４０】
【補正対象書類名】明細書
【補正対象項目名】０２２８
【補正方法】変更
【補正の内容】
【０２２８】
特に、付加部材８０と絶縁部材７８の視認面とが略同一平面を形成するように、絶縁部材７８の凹部内７８ｃに付加部材８０を配置することができ、見返しリング３６と絶縁部材７８と付加部材８０とが一体的に視認されるので、見返しリング３６の美観と高級感が向上し、時計自体の美観も向上することになる。
【手続補正４１】
【補正対象書類名】明細書
【補正対象項目名】０２３２
【補正方法】変更
【補正の内容】
【０２３２】
また、付加部材８０と絶縁部材７８の視認面とが略同一平面を形成するように、２つの絶縁部材７８、７８の間に付加部材を配置することができ、見返しリング３６と絶縁部材７８と付加部材８０とが一体的に視認されるので、見返しリング３６の美観と高級感が向上し、時計自体の美観も向上することになる。
（実施例７）
図２６は、本発明の別の実施例の無線機能付き時計１０の図３と同様な部分拡大斜視図である。
【手続補正４２】
【補正対象書類名】明細書
【補正対象項目名】０２３９
【補正方法】変更
【補正の内容】
【０２３９】
このように構成することによって、見返しリング３６と絶縁部材７８との境界９０が、付加部材８０の覆い部８０ｃで隠されて視認されなくなるので、見返しリング３６の美観と高級感がさらに向上する。
【手続補正４３】
【補正対象書類名】明細書
【補正対象項目名】０２４４
【補正方法】変更
【補正の内容】
【０２４４】
なお、この場合、図２７〜図２９の実施例では、絶縁部材７８より延出する延出部７８ｅを、付加部材８０の覆い部８０ｃよりも延出距離を短く設定しているが、図３０に示したように、絶縁部材７８より延出する延出部７８ｅを、付加部材８０の覆い部８０ｃとその延出距離を略同一とすることによって、導電性の付加部材８０の覆い部８０ｃが、完全に、絶縁部材７８の延出部７８ｅに妨げられて、導電性の見返しリング３６に接触しないことになり、見返しリング３６に渦電流が生じるのが回避され、アンテナの受信感度が向上することになる。
【手続補正４４】
【補正対象書類名】図面
【補正対象項目名】図１０
【補正方法】変更
【補正の内容】
【図１０】
2008045878.tif 000001
【手続補正４５】
【補正対象書類名】図面
【補正対象項目名】図１１
【補正方法】変更
【補正の内容】
【図１１】
2008045878.tif 000002
【手続補正４６】
【補正対象書類名】図面
【補正対象項目名】図１２
【補正方法】変更
【補正の内容】
【図１２】
2008045878.tif 000003
【手続補正４７】
【補正対象書類名】図面
【補正対象項目名】図１９
【補正方法】変更
【補正の内容】
【図１９】
2008045878.tif 000004